(57)【要約】【課題】  火災防止機能、ガス漏れ防止機能、ガス浪費防止機能を兼ね備えた燃焼装置用の複合センサ及びそれを組込んだ燃焼装置を提供する。【解決手段】  被加熱物検知センサ、被加熱物温度測定センサ、及び炎検知センサからなる群から選ばれる少なくとも２センサを有する複合センサ、及び加熱手段と、加熱手段に供給する燃料ガス流量を制御する調整弁と、加熱手段に配設した前記の複合センサと、複合センサの検出信号を取込み前記調整弁の開度を制御する制御部とからなる燃焼装置【選択図】  図３
2006275466.tif 000002
【特許請求の範囲】
【請求項１】
被加熱物検知センサ、被加熱物温度測定センサ、及び炎検知センサからなる群から選ばれる少なくとも２センサを有する複合センサ。
【請求項２】
被加熱物検知センサが、超音波センサ、光センサ、サーモパイルを用いるセンサ又は焦電素子を用いるセンサである請求項１に記載の複合センサ。
【請求項３】
被加熱物温度測定センサが、赤外線検出素子を用いる赤外線センサである請求項１に記載の複合センサ。
【請求項４】
被加熱物温度測定センサが、互いに異なる波長域の赤外線を検出する２個の赤外線検出素子からなる請求項３に記載の複合センサ。
【請求項５】
２個の赤外線検出素子の間に間仕切り板を設けてなる請求項４に記載の複合センサ。
【請求項６】
炎検知センサが、赤外線検出素子を用いる赤外線センサ又は紫外線検出素子を用いる紫外線センサである請求項１に記載の複合センサ。
【請求項７】
雰囲気温度測定用サーミスタを備えてなり、被加熱物温度測定センサの温度変化に基づく出力変動を補正する手段を備えてなる請求項１乃至６のいずれかに記載の複合センサ。
【請求項８】
加熱手段と、前記加熱手段に供給する燃料ガス流量を制御する調整弁と、前記加熱手段に配設した請求項１乃至７のいずれかに記載の複合センサと、複合センサの検出信号を取込み前記調整弁の開度を制御する制御部とからなる燃焼装置。
【請求項９】
環状ケーシングに炎口を環状に形成してなるブンゼンバーナと、前記バーナに供給する燃料ガス流量を制御する調整弁と、前記環状ケーシングの下方に配設した請求項１乃至７のいずれかに記載の複合センサと、複合センサの検出信号を取込み前記調整弁の開度を制御する制御部とからなる燃焼装置。
【発明の詳細な説明】
【技術分野】
【０００１】
本発明は、複合センサ、及びそれを組込んだ燃焼装置に関する。更に詳述すれば、本発明は、被加熱物検知センサ、被加熱物温度測定センサ、及び炎検知センサからなる群から選ばれる少なくとも２センサを有する複合センサ、及び該複合センサを組込んだ燃焼装置に関する。
【０００２】
本発明の複合センサを組込んだ燃焼装置を、調理に用いられる家庭用、もしくは業務用のコンロとして使用した場合、鍋など被加熱物の載置有無の検知、被加熱物の温度検知、更に炎検知を非接触で行うことができる。
【背景技術】
【０００３】
家庭用コンロや業務用コンロ等の調理用燃焼装置は、被加熱物の過熱発火による火災を防止する機能（以下『火災防止機能』と云うことがある）が要求される。また、調理用燃焼装置は、非着火状態でのガス漏れによるガス中毒、ガス爆発等の不測の事故を防止する機能（以下『ガス漏れ防止機能』と云うことがある）が要求される。更に、調理用燃焼装置は、被加熱物を載置していない状態でのガス燃焼量を低減する機能、或はガスの供給を停止する機能（以下『ガス浪費防止機能』と云うことがある）が要求される。このような燃焼装置への要求に対して、従来から種々の提案がある。
【０００４】
特許文献１、特許文献２には、鍋底検知素子を用いて五徳上の鍋の有無を検出し、鍋が無い場合、炎を強制的に弱火とすることでガスの消費量を減らす方法（ガス浪費防止機能）が開示されている。また、五徳上に鍋が無い場合、音声で使用者に注意を促すとともにガスの供給を遮断するシステムになっているコンロも最近開発されている。
【０００５】
特許文献３には、炎を検知してガス切れを報知するカセツトコンロが開示され、特許文献４には、炎制御のためにサーモカップルを用いた炎検知方法が開示されている。この他、炎検知をサーモカップルにより行い、失火時にガス弁を閉鎖する機能（ガス漏れ防止機能）を備えたコンロも知られている。
【０００６】
特許文献１、特許文献２、特許文献５、特許文献６には火災防止機能としてサーミスターを利用した鍋底温度検知手段が開示されている。
【０００７】
しかしながら、これら従来の鍋底検知手段や鍋底温度検知手段は接触式であるため、検知手段がバーナの中央部に突出している。このため、コンロの美観を損ねることや、掃除がし難い等の問題がある。更に、検出素子自体が高温の燃焼ガスや炎に晒されるので、これが故障の原因となる。また、鍋底が平らで無い場合、鍋底温度を正確に検出できない不具合がある。
【０００８】
上記の問題に対して、特許文献７には、赤外線検出素子を用いて非接触で鍋底温度を測定する方法が開示されている。しかしながら、この方法は鍋底温度は精度良く検知できるが、料理開始時は鍋底温度が室温と同程度であるため、コンロ上の鍋の有無を検知できない。また、複数の検知手段が一箇所に集約配置されていないため、設置スペースを多く取らねばならず、コンロの美観を損ねる。また、組立て工数が多く製造コスト上の問題がある。
【０００９】
上記のように、火災防止機能、ガス漏れ防止機能、ガス浪費防止機能を兼ね備えた燃焼装置用の複合センサ及びそれを組込んだ燃焼装置は未だ提案されていない。また、ユニットとして集約され、燃焼装置に組み込んだ際に、装置がコンパクトになり、優れた外観を発現できる複合センサは未だ提案されていない。
【特許文献１】特許第３０８９３８９号公報（請求項１）
【特許文献２】特開平１０−１８５２０５号公報（請求項１）
【特許文献３】実開平５−２５１５８号公報（請求項１）
【特許文献４】特公平６−８９８８９号公報（請求項１）
【特許文献５】特開平７−２６９８７１号公報（請求項１）
【特許文献６】特開平７−２６９８７２号公報（請求項１）
【特許文献７】特開２００２−３４０３３９号公報（請求項１、図１）
【発明の開示】
【発明が解決しようとする課題】
【００１０】
本発明は上記事情に鑑みなされたもので、その目的とするところは、火災防止機能、ガス漏れ防止機能及びガス浪費防止機能のうち少なくとも２つの機能を同時に達成できる複合センサ及び同センサを備えた燃焼装置を提供することにある。また、本発明の別の目的は、コンロの美観に優れ、組立て工数が少なく製造コストの有利な燃焼装置を提供することにある。
【００１１】
本発明は以下に記載するものである。
【００１２】
〔１〕  被加熱物検知センサ、被加熱物温度測定センサ、及び炎検知センサからなる群から選ばれる少なくとも２センサを有する複合センサ。
【００１３】
〔２〕  被加熱物検知センサが、超音波センサ、光センサ、サーモパイルを用いるセンサ又は焦電素子を用いるセンサである〔１〕に記載の複合センサ。
【００１４】
〔３〕  被加熱物温度測定センサが、赤外線検出素子を用いる赤外線センサである〔１〕に記載の複合センサ。
【００１５】
〔４〕  被加熱物温度測定センサが、互いに異なる波長域の赤外線を検出する２個の赤外線検出素子からなる〔３〕に記載の複合センサ。
【００１６】
〔５〕  ２個の赤外線検出素子の間に間仕切り板を設けてなる〔４〕に記載の複合センサ。
【００１７】
〔６〕  炎検知センサが、赤外線検出素子を用いる赤外線センサ又は紫外線検出素子を用いる紫外線センサである〔１〕に記載の複合センサ。
【００１８】
〔７〕  雰囲気温度測定用サーミスタを備えてなり、被加熱物温度測定センサの温度変化に基づく出力変動を補正する手段を備えてなる〔１〕乃至〔６〕のいずれかに記載の複合センサ。
【００１９】
〔８〕  加熱手段と、前記加熱手段に供給する燃料ガス流量を制御する調整弁と、前記加熱手段に配設した〔１〕乃至〔７〕のいずれかに記載の複合センサと、複合センサの検出信号を取込み前記調整弁の開度を制御する制御部とからなる燃焼装置。
【００２０】
〔９〕  環状ケーシングに炎口を環状に形成してなるブンゼンバーナと、前記バーナに供給する燃料ガス流量を制御する調整弁と、前記環状ケーシングの下方に配設した〔１〕乃至〔７〕のいずれかに記載の複合センサと、複合センサの検出信号を取込み前記調整弁の開度を制御する制御部とからなる燃焼装置。
【発明の効果】
【００２１】
本発明の複合センサは、被加熱物検知センサ、被加熱物温度測定センサ、及び炎検知センサからなる群から選ばれる少なくとも２センサを有するので、家庭用コンロや業務用コンロ等の調理用燃焼装置に組込むことにより、火災防止機能、ガス漏れ防止機能、ガス浪費防止機能のうち少なくとも２つの機能を備えた燃焼装置を得ることができる。
【００２２】
本発明の複合センサは、センサ自体を高温の燃焼ガスや炎に晒されない位置に配設できるので、センサの耐久性に優れる。
【００２３】
また、本発明の複合センサは、被加熱物検知機能、被加熱物温度測定機能、炎検知機能を有する各センサを一つのホルダにまとめユニット化している。このため、燃焼装置に組み込んだ際に、装置がコンパクトであり、美観に優れ、清掃が容易であるので、商品価値が従来品よりも向上する。また、組立ての自由度が増すので燃焼装置のデザイン上の利点が得られる。更に、組み立てが簡素化されるので製造コストが従来品よりも低廉である。
【発明を実施するための最良の形態】
【００２４】
本発明の複合センサは、被加熱物検知センサ、被加熱物温度測定センサ、及び炎検知センサからなる群から選ばれる少なくとも２センサを有する。
【００２５】
（被加熱物検知センサ）
本発明における被加熱物検知センサとしては、例えば公知の超音波センサ、光センサ、サーモパイルを用いるセンサ或は焦電素子を用いるセンサを挙げることができる。
【００２６】
上記の超音波センサは、超音波領域の音響信号を被加熱物に向けて送信し、被加熱物の表面で反射した音響信号を受信し、受信した音響信号に基づいて被加熱物を検知できるセンサである。この超音波センサを本発明の複合センサに用いることにより燃焼装置に載置した被加熱物を検知できる。尚、超音波センサには、開口型と防滴型があるが、本発明においては、燃焼装置を主に調理用コンロとして用いることから、防滴型であることが好ましい。
【００２７】
上記の光センサは、発光ダイオード（ＬＥＤ）と受光素子との組合せで構成される。発光ダイオードの放射する紫外線、可視光線、赤外線を被加熱物に照射し、被加熱物による反射光を前記受光素子で受光し、被加熱物の存否を検出する。受光素子は、量子型センサのことであり、例えばフォトダイオード、フォトトランジスタ、フォトＩＣのような光起電力を有する素子を用いたセンサ；ＣｄＳセル、ＣｄＳｅセル、ＰｄＳセルのような光導電効果を有する素子を用いたセンサ；光電管、光電子倍増管（フォトマル）のような光電子放出効果を有する素子を用いたセンサを挙げることができる。これらの光センサの何れかを、或は組合わせたものを本発明の複合センサに用いることによりにより燃焼装置に載置した被加熱物を検知できる。
【００２８】
上記のサーモパイルとは、輻射エネルギ（紫外光、可視光、赤外光等のエネルギ）の検出素子である。検出素子に用いられるサーモパイルは、熱起電力を有する２種の金属の薄膜複合体であり、金属には通常白金、銅、コンスタンタン合金、ビスマス、アンチモン等から選ばれる２種が用いられる。波長５μｍ以上の赤外線を透過させる光学フィルタを有するサーモパイルを用いるセンサを本発明の複合センサに用いることにより、燃焼装置に載置した被加熱物の有無を検知できる。
【００２９】
上記の焦電素子は、赤外線の焦電効果を有する素子であり、例えば強誘電体セラミックの素子を挙げることができる。この焦電素子は、被加熱物の発する熱エネルギ（赤外線）を鋭敏に検知できる。波長５μｍ以上の赤外線を透過させる光学フィルタを有する焦電素子を用いるセンサを本発明の複合センサに用いることにより燃焼装置に載置した被加熱物の有無を正確に検知できる。
【００３０】
（被加熱物温度測定センサ）
本発明における被加熱物温度測定センサとしては、例えば赤外線センサを挙げることができる。
【００３１】
この赤外線センサは、量子型赤外線センサで、例えば作動原理が熱起電力であるサーモパイル、作動原理が焦電効果であるパイロ、作動原理が電気抵抗の温度変化であるサーミスタ、ボロメータ、作動原理が不活性ガスの熱膨張であるゴーレイセル、作動原理が特定ガスの熱膨張であるニューマティックセル等がある。これらの赤外線センサの何れかを本発明の複合センサに用いることによりにより燃焼装置に載置した被加熱物の温度を測定できる。
【００３２】
尚、赤外線センサには、測定精度をより良好なものとするために、互いに異なる波長域の赤外線を検出する２個の赤外線検出素子を用いることが好ましい。例えば、被加熱物と一方の赤外線センサとの間に透過波長が３〜４μｍの光学フィルタを設置し、他方の赤外線センサの間に透過波長が７〜１０μｍの光学フィルタを設置し、各々被加熱物が放射する異なる波長の赤外線の検知が行えるようにする。その結果、炎の放射する赤外線の影響を遮断でき、また、被加熱物底部の材質の相違（輻射率の相違）を補正できるので、正確な被加熱物底部の温度を計測できる。この場合、２個の赤外線検出素子の間に間仕切り板を設けると、測定対象外の赤外線の影響を遮断できるので好ましい。
【００３３】
（炎検知センサ）
本発明における炎検知センサとしては、例えば赤外線検出素子を用いる赤外線センサ、或は紫外線検出素子を用いる紫外線センサを挙げることができる。
【００３４】
炎検知センサに用いる赤外線センサは、赤外線検出素子を備えたものであり、上述した被加熱物温度測定センサとして用いる赤外線センサと同様のものを使用できる。また、紫外線センサは、紫外線検出素子を備えたものであり、例えば半導体式紫外線センサを用いることができる。これらの赤外線センサ或は紫外線センサを本発明の複合センサに用いることにより、燃焼装置のバーナ炎口からの炎の有無を識別することができる。尚、赤外線センサを用いる場合は、炎と赤外線センサとの間に透過波長が４．３μｍの光学フィルタを設置することが好ましい。その結果、炎の放射する赤外線（中心波長４．３μｍ）を精度良く検出でき、また、被加熱物底部等からの赤外線（炎の波長とは異なる赤外線）の干渉を防げるので、正確な炎の存在有無を検知できる。
【００３５】
尚、本発明の複合センサは、雰囲気温度測定用サーミスタを備え、被加熱物温度測定センサの温度変化に基づく出力変動を補正する手段を備えていることが、被加熱物温度を正確に測定できるので好ましい。本発明に用いる雰囲気温度測定用サーミスタには、熱起電力を有する２種の金属の複合体（いわゆる熱電対）を用いることが好ましい。
【００３６】
（燃焼装置）
本発明の燃焼装置は、加熱手段と、加熱手段に供給する燃料ガス流量を制御する調整弁と、加熱手段に配設した本発明の複合センサと、複合センサの検出信号を取込み前記調整弁の開度を制御する制御部とからなる。本発明の燃焼装置は、例えば調理用コンロであり、本発明における加熱手段は、例えば調理用コンロに用いられるバーナである。
【００３７】
また、本発明の燃焼装置は、例えば環状ケーシングに炎口を環状に形成してなるブンゼンバーナと、前記バーナに供給する燃料ガス流量を制御する調整弁と、前記環状ケーシングの下方に配設し、本発明の複合センサと、複合センサの検出信号を取込み前記調整弁の開度を制御する制御部とからなる。
【００３８】
以下、本発明につき、図面を参照して詳細に説明する。
【００３９】
（複合センサ）
図１は、本発明の複合センサの概略構造の一例を示す平面図である。図１中、１００は複合センサ、１はホルダーで、平板の両端部が上方に折曲げられ、折曲部１ａ、１ｂが形成されている。２はホルダー１に取付けられた内部中空のキャップ、７、８、９はキャップ２に取付けられた光学フィルタで、光学フィルタはそれぞれ内臓されている赤外線検出素子の上方に設置されている。１０は赤外線ＬＥＤ（被加熱物検知用）、１１は赤外線ＬＥＤ１０の放射する赤外線の被加熱物による反射光を受光するフォトトランジスタ（被加熱物検知用）で、ホルダー１に取付けられている。１２はフォトトランジスタ１１を内部に収納する円筒状ケースで、反射光以外の赤外線を遮蔽する。２１、２２、２３は前記キャップに穿孔した赤外線透過窓（それぞれ光学フィルタ７、８、９の位置に対応）である。
【００４０】
尚、赤外線ＬＥＤ１０とフォトトランジスタ１１とをそれぞれホルダー１の折曲部１ａ、１ｂに配設しているので、赤外線ＬＥＤ１０から放射され被加熱物底部で反射した赤外線の方向をフォトトランジスタ１１（被加熱物検知用）に向けることができる。このため、被加熱物の有無をより正確に検知できる。
【００４１】
図２は、図１に示す複合センサのキャップ２を取除いた平面図である。図２中、３、４は赤外線検出素子（鍋温度検知用）、５は赤外線検出素子（炎検知用）、６はサーミスタ（雰囲気温度測定用）、１３は配線用アルミワイヤ、１４はホルダー１に設置されたピンである。
【００４２】
図３は、図１のＡ−Ａ線に沿った断面図である。図３中、１５は赤外線検出素子３及び４の間の仕切り、１６は赤外線検出素子４及び５の間の仕切りである。
【００４３】
図４は、本発明の複合センサの概略構造の他の例を示す平面図である。図４中、１７はホルダー１に取付けられた送信用超音波センサ、１８は受信用超音波センサである。
【００４４】
図５は、図４に示す複合センサのキャップ２を取除いた平面図である。
【００４５】
図６は、図４のＢ−Ｂ線に沿った断面図である。
【００４６】
図７は、センサに送受信超音波センサを用いた本発明の複合センサの概略構造の一例を示す平面図である。図７中、３１は送受信用超音波センサで、これにより被加熱物の有無を検出する。また、３７、３８、３９は図１に記載した７、８、９と同一の光学フィルタで、キャップ３２内には不図示の赤外線センサ３個が設けられている。
【００４７】
図８は、センサに送受信超音波センサを用いた本発明の他の複合センサの概略構造例を示す平面図である。図８中、４０はホルダー、４１は送受信用超音波センサで、これにより被加熱物の有無を検出する。尚、４７、４８、４９はキャップ４２に設けられた光学フィルタで、図１に記載した７、８、９と同一のものである。キャップ４２内には赤外線センサ（不図示）３個が設けられている。図８の複合センサでは、被加熱物の検知に送受信超音波センサ（１個）を用いているので、複合センサの断面形状をコンパクトな円形形状（ホルダー４０）とすることができる。
【００４８】
（複合センサの製造工程）
図９は、本発明の複合センサの製造工程の一例を示す製造工程フローである。
【００４９】
（燃焼装置）
図１０は、本発明の複合センサを組込んだ燃焼装置の一例を示す構成図である。
【００５０】
図１０中、２２０はコンロ（燃焼装置）、１４２は天板で加熱口１４４が形成されている。前記加熱口１４４の周りには、五徳１４６が配設されている。１４８は、加熱口１４４の下方に設けられたバーナ（ブンゼンバーナ）で、環状ケーシング部１５０と、前記環状ケーシング部１５０に連結された混合管１５２と、混合管１５２に連結されたガスノズル１５４とからなる。ガス配管１５６から供給されるガスは、ノズル１５４を通って混合管１５２内で空気が混合された後、環状ケーシング部１５０に形成された炎口１５８から炎１５９となって放出される。
【００５１】
炎１５９により、被加熱物１６０は加熱され、被加熱物の温度に対応した赤外線が被加熱物から放射される。前記放射された赤外線は、環状ケーシング部１５０の下方に配設された汁受皿１６２の中央に穿設された赤外線透過孔１６４を通って複合センサ２１０赤外線センサ部に到達する。
【００５２】
この複合センサ２１０は、図３に記載された構造を有するものである。被加熱物１６０の底部から放射される赤外線は、図３に示す光学フィルタ７、８を通過し鍋温度検知用赤外線検出素子３、４に到達し被加熱物底部の温度が計測される。赤外線検出素子３、４は検出波長が異なる検出素子であり、波長の異なる赤外線を同時に検出することにより、測定誤差を減少させることができる。被加熱物底部の温度は、図３の鍋温度補正用サーミスタ６により計測される雰囲気温度により更に正確な数値に補正される。
【００５３】
また、炎１５９から放射される赤外線は、図３に示す光学フィルタ９を通過し炎検知用赤外線検出素子５に到達し炎１５９の存在が検知される。
【００５４】
尚、コンロ２１０上の被加熱物１６０の存在の有無は、図３に示す被加熱物検知用赤外線ＬＥＤ１０の反射光を被加熱物検知用フォトトランジスタ１１により受光することにより検知される。
【００５５】
赤外線検出素子３、４、５、サーミスタ６、赤外線ＬＥＤ１０及びフォトトランジスタ１１の出力は、それぞれ制御部１６５に送られ、信号処理が行われる。例えば、赤外線検出素子３、４の出力が被加熱物１６０の過熱状態を示す場合や、被加熱物検知用フォトトランジスタ１１の出力が被加熱物１６０が存在しないことを示す場合は、調整弁１６６に信号が送られ、調整弁１６６が閉じられ、コンロ２２０に供給される混合ガスの供給が停止される。
【００５６】
また、赤外線検出素子５の出力が炎１５９が存在しないことを示す場合は、調整弁１６６に信号が送られ、調整弁１６６が閉じられ、コンロ２２０に供給される混合ガスの供給が停止される。
【００５７】
なお、上記説明においては、コンロを例として説明したが、これに限られず各種の燃焼装置に同様にして複合センサを組込める。
【実施例】
【００５８】
次に、実施例により本発明を具体的に説明するが、本発明はこれに限定されるものではない。
【００５９】
実施例１
図９に示した複合センサの製造フローに準じてフォトトランジスタと赤外線ＬＥＤを用いた複合センサを下記の通り製造した。製造した複合センサの概略構造を図１〜図３に示す。
【００６０】
（ホルダー側）
先ず、ホルダー１上に赤外線素子３、４及び５を載せ、エポキシ系導電接着剤で各々をホルダー１に接着して実装した。同様に、ホルダー１上にサーミスタ６を載せ、エポキシ系導電接着剤でホルダー１に接着して実装した。次いで、ホルダー１に設けられているピン１４と赤外線素子３、４、５（互いに異なる波長域の赤外線を検出する赤外線検出素子）、及びサーミスタ６とを各々アルミワイヤ１３で溶接して通電を確保した。
【００６１】
（キャップ側）
赤外線透過窓２１、２２、２３が穿設してあるキャップ２を用意する。キャップ２の内側の赤外線透過窓２１、２２、２３の部分に、予め目的寸法（赤外線透過窓よりも大きい寸法）に切断してある光学フィルタ７（透過波長：３〜４μｍ）、光学フィルタ８（透過波長：７〜１０μｍ）、光学フィルタ９（透過波長：４．３μｍ）を各々エポキシ接着剤でキャップ２の内面との隙間が無いように接着し実装した。次いで、キャップ２の内側に仕切り１５を赤外線検出素子３と４とを遮蔽できる位置に、仕切り１６を赤外線検出素子４と５とを遮蔽できる位置に、それぞれエポキシ接着剤で接着した。
【００６２】
（溶接）
上記の赤外線素子とサーミスタとを実装したホルダー１と、光学フィルタを実装したキャップ２との接合部を、窒素ガス雰囲気下で内部の気密性が保持できるように抵抗溶接した。
【００６３】
（複合センサ）
上記キャップ２を接合したホルダー１の折曲部１ａ、１ｂ上に、赤外線ＬＥＤ１０とフォトトランジスタ１１とをそれぞれエポキシ接着剤で接着実装し、フォトトランジスタ１１にケース１２を被せて複合センサを製造した。
【００６４】
次いで、得られた複合センサを図１０に示した燃焼装置に組込み性能を評価した。その結果、被加熱物検知機能、被加熱物温度測機能、炎検知機能の何れも満足するものであり、検知情報に従って調整弁１６６が設定通りに稼動した。
【００６５】
実施例２
（複合センサの製造）
複合センサの概略構造を図４〜図６に示すものに替え、赤外線ＬＥＤ１０とフォトトランジスタ１１（ケース１２）を夫々送信用超音波センサ１７と受信用超音波センサ１８に替えた以外は実施例１と同様に複合センサを製造した。
【００６６】
次いで、得られた複合センサを図１０に示した燃焼装置に組込み性能を評価した。その結果、被加熱物２００の載置を送信用超音波センサ１７と受信用超音波センサ１８にて検知できる等性能は満足すべきものであった。
【００６７】
実施例３
（複合センサの製造）
複合センサの概略構造を図８に示すものに替え、送信用超音波センサ１７と受信用超音波センサ１８を送受信用超音波センサ４１のみに替えた以外は実施例２と同様に複合センサを製造した。
【００６８】
次いで、得られた複合センサを図１０に示した燃焼装置に組込み性能を評価した。その結果、被加熱物２００の載置を送受信用超音波センサ４１にて検知できる等性能は満足すべきものであった。
【図面の簡単な説明】
【００６９】
【図１】本発明の複合センサの概略構造の一例を示す平面図である。
【図２】図１に示す複合センサのキャップを取除いた平面図である。
【図３】図１のＡ−Ａ線に沿った断面図である。
【図４】本発明の複合センサの概略構造の他の例を示す平面図である。
【図５】図４に示す複合センサのキャップを取除いた平面図である。
【図６】図４のＢ−Ｂ線に沿った断面図である。
【図７】センサに送受信超音波センサを用いた本発明の複合センサの概略構造の一例を示す平面図である。
【図８】センサに送受信超音波センサを用いた本発明の複合センサの概略構造の他の一例を示す平面図である。
【図９】本発明の複合センサの製造工程の一例を示す製造工程フローである。
【図１０】本発明の複合センサを組込んだ燃焼装置の一例を示す構成図である。
【符号の説明】
【００７０】
１００    複合センサ
１    ホルダー
１ａ    ホルダーの一方の折曲部
１ｂ    ホルダーの他方の折曲部
２    キャップ
３    赤外線検出素子（鍋温度検知用）
４    赤外線検出素子（鍋温度検知用）
５    赤外線検出素子（炎検知用）
６    サーミスタ（雰囲気温度測定用）
７    光学フィルタ
８    光学フィルタ
９    光学フィルタ
１０    赤外線ＬＥＤ
１１    フォトトランジスタ
１２    ケース
１３    アルミワイヤ
１４    ピン
１５    仕切り
１６    仕切り
１７    送信用超音波センサ
１８    受信用超音波センサ
２１    赤外線透過窓
２２    赤外線透過窓
２３    赤外線透過窓
３１    送受信用超音波センサ
３２    キャップ
３７    光学フィルタ
３８    光学フィルタ
３９    光学フィルタ
４０    ホルダー
４１    送受信用超音波センサ
４２    キャップ
４７    光学フィルタ
４８    光学フィルタ
４９    光学フィルタ
２２０    コンロ
１４２    天板
１４４    加熱口
１４６    五徳
１４８    バーナ
１５０    環状ケーシング部
１５２    混合管
１５４    ガスノズル
１５６    ガス配管
１５８    炎口
１５９    炎
１６０    被加熱物
１６２    汁受皿
１６４    赤外線透過孔
１６５    制御部
１６６    調整弁
２１０    複合センサ
【図１】
2006275466.tif 000003
【図２】
2006275466.tif 000004
【図３】
2006275466.tif 000005
【図４】
2006275466.tif 000006
【図５】
2006275466.tif 000007
【図６】
2006275466.tif 000008
【図７】
2006275466.tif 000009
【図８】
2006275466.tif 000010
【図９】
2006275466.tif 000011
【図１０】
2006275466.tif 000012